(57)【要約】【課題】テレビジョン装置のチャンネル選択の遠隔操作に伴って、その選択チャンネルに対応する放送番組に関連するウェブページを閲覧することができる操作端末装置を提供する。【解決手段】テレビジョンのチャンネル選択操作が可能な操作入力部２６と、テレビジョンを遠隔操作するための信号を送信するＩｒ通信部２７と、インターネットから放送番組に関連するウェブページをダウンロードして表示する表示部２９とを備える。制御部２５はインターネットより電子番組表を定期的に取得してＥＥＰＲＯＭ２４などに保持する。また制御部２５は、操作入力部２６のチャンネル選択操作を認識すると、Ｉｒ通信部２７に選択チャンネルに対応する遠隔操作信号を送信させる一方、保持している電子番組表から選択チャンネルに対応する放送番組に関するウェブページのＵＲＬを取得し、このＵＲＬに基づいてインターネットよりウェブページをダウンロードして表示部２９に表示させる。【選択図】図５
2005347893.tif 000002
【特許請求の範囲】
【請求項１】
テレビジョンのチャンネル選択を行うことが可能な操作入力部と、
前記操作入力部の操作入力に対応する前記テレビジョンの遠隔操作信号を送信する遠隔操作信号送信部と、
ネットワークより放送番組に関するウェブページの場所情報を含む電子番組表を取得する電子番組表取得部と、
前記電子番組表取得部により取得された電子番組表を記憶する電子番組表記憶部と、
前記ウェブページを表示可能な表示部と、
前記操作入力部の前記チャンネル選択の操作を認識して、前記遠隔操作信号送信部に前記選択されたチャンネルに対応する遠隔操作信号を送信させるとともに、前記電子番組表記憶部に記憶された電子番組表から前記選択されたチャンネルに対応する放送番組に関するウェブページの場所情報を取得し、この場所情報に基づいて前記ネットワークより前記ウェブページをダウンロードして前記表示部に表示させる制御部と
を具備することを特徴とする操作端末装置。
【請求項２】
前記電子番組表取得部は、前記ネットワークより定期的に電子番組表を取得して前記電子番組表記憶部の内容を更新することを特徴とする請求項１に記載の操作端末装置。
【請求項３】
前記制御部は、前記電子番組表から前記選択されたチャンネルに対応する現在放送中または次に放送を予定する放送番組に関するウェブページの場所情報を取得し、この場所情報に基づいて前記ネットワークより前記ウェブページをダウンロードして前記表示部に表示させることを特徴とする請求項１または２に記載の操作端末装置。
【請求項４】
テレビジョンのチャンネル選択を行うことが可能な操作入力部と、前記操作入力部の操作入力に対応する前記テレビジョンの遠隔操作信号を送信する遠隔操作信号送信部と、前記ウェブページを表示可能な表示部とを有する操作端末装置の放送番組ウェブページ閲覧方法であって、
ネットワークより放送番組に関するウェブページの場所情報を含む電子番組表を取得してこれを保持し、
前記操作入力部の前記チャンネル選択の操作を認識したとき、前記遠隔操作信号送信部に前記選択されたチャンネルに対応する遠隔操作信号を送信させるとともに、前記電子番組表記憶部に記憶された電子番組表から前記選択されたチャンネルに対応する放送番組に関するウェブページの場所情報を取得し、この場所情報に基づいて前記ネットワークより前記ウェブページをダウンロードして前記表示部に表示させることを特徴とする操作端末装置の放送番組ウェブページ閲覧方法。
【請求項５】
前記ネットワークより定期的に最新の電子番組表を取得して保持することを特徴とする請求項４に記載の操作端末装置の放送番組ウェブページ閲覧方法。
【請求項６】
前記電子番組表から前記選択されたチャンネルに対応する現在放送中または次に放送を予定する放送番組に関するウェブページの場所情報を取得し、この場所情報に基づいて前記ネットワークより前記ウェブページをダウンロードして前記表示部に表示させることを特徴とする請求項４または５に記載の操作端末装置の放送番組ウェブページ閲覧方法。
【発明の詳細な説明】
【技術分野】
【０００１】
本発明は、テレビジョン装置を遠隔操作可能な操作端末装置及びその放送番組ウェブページ閲覧方法に関する。
【背景技術】
【０００２】
近年、地上波データ放送やインターネットなどから、ＥＰＧ（Electric Program Guide）のような電子番組表をテレビジョン、ビデオレコーダ装置、ＰＣ、ＰＤＡなどの機器にて取得し、閲覧したり、番組タイトルの検索、予約操作などを機器の操作によって行うことができる（たとえば特許文献１を参照）。
【０００３】
また、インターネット上には放送番組に関する情報をウェブページで公開するサイトが存在しており、そのウェブページを、複数の放送局が提供する多数の番組の中から鑑賞する番組を選ぶ際の参考としたり、これから鑑賞する放送番組に関する情報の入手源として利用することができる。通常、これらのウェブページのブラウズにはインターネットに接続可能なＰＣやＰＤＡなどが使用されることが多い。すなわち、ウェブページの閲覧は、テレビジョンとは物理的に切り離された環境で行われていることが普通である。
【特許文献１】特開２００２−２８１４０７号公報
【発明の開示】
【発明が解決しようとする課題】
【０００４】
しかしながら、この場合、目的の放送局や放送番組のウェブページが置かれている場所（ＵＲＬなど）をユーザ自身がＰＣやＰＤＡなどの端末装置を操作して検索したり指定する必要があるなど、操作の気軽さを欠いていた。
【０００５】
本発明は、かかる事情に鑑み、テレビジョン装置のチャンネル選択の遠隔操作に伴って、その選択チャンネルに対応する放送番組に関連するウェブページを閲覧することのできる操作端末装置及びその放送番組ウェブページ閲覧方法を提供することを目的としている。
【課題を解決するための手段】
【０００６】
かかる目的を達成するために、本発明の操作端末装置は、テレビジョンのチャンネル選択を行うことが可能な操作入力部と、前記操作入力部の操作入力に対応するテレビジョンの遠隔操作信号を送信する遠隔操作信号送信部と、ネットワークより放送番組に関するウェブページの場所情報を含む電子番組表を取得する電子番組表取得部と、電子番組表取得部により取得された電子番組表を記憶する電子番組表記憶部と、ウェブページを表示可能な表示部と、操作入力部のチャンネル選択の操作を認識して、遠隔操作信号送信部に選択されたチャンネルに対応する遠隔操作信号を送信させるとともに、電子番組表記憶部に記憶された電子番組表から選択されたチャンネルに対応する放送番組に関するウェブページの場所情報を取得し、この場所情報に基づいてネットワークよりウェブページをダウンロードして表示部に表示させる制御部とを具備することを特徴とする。
【０００７】
また、本発明の操作端末装置において、電子番組表取得部は、ネットワークより定期的に電子番組表を取得して電子番組表記憶部の内容を更新するものとしてもよい。  さらに、本発明の操作端末装置において、制御部は、電子番組表から選択されたチャンネルに対応する現在放送中または次に放送を予定する放送番組に関するウェブページの場所情報を取得し、この場所情報に基づいてネットワークよりウェブページをダウンロードして表示部に表示させるようにしてもよい。
【発明の効果】
【０００８】
本発明の操作端末装置及びその放送番組ウェブページ閲覧方法によれば、テレビジョン装置のチャンネル選択の遠隔操作に伴って、その選択チャンネルに対応する放送番組に関連するウェブページを閲覧することができる。
【発明を実施するための最良の形態】
【０００９】
以下、図面を参照して本発明の実施の形態について説明する。
【００１０】
図１は、本発明の一実施形態にかかる操作端末装置２０を含むシステム全体の構成を示す図である。
【００１１】
同図に示すように、このシステム１００は、１つの家庭内の機器の構成であり、テレビジョン装置１０、テレビジョン装置１０の遠隔操作およびウェブページの表示が可能な操作端末装置２０、操作端末装置２０にインターネット５０への無線接続を提供するネットワークステーション３０、テレビ放送信号を受信してテレビジョン装置１０およびネットワークステーション３０に分配するＲＦ分配器４０、インターネット５０にネットワークステーション３０を接続するルータ６０などで構成される。
【００１２】
図２は、操作端末装置２０の電気的な構成を示すブロック図である。
【００１３】
同図に示すように、操作端末装置２０は、ＣＰＵ（Central Processing Unit)２１、ＲＯＭ（Read Only Memory）２２、メインメモリ２３としてのＲＡＭ（Random Access Memory）、ＥＥＰＲＯＭ（Electrically Erasable Programmable Read-Only Memory）２４などで構成される制御部２５と、ユーザからの操作入力を受け付ける操作入力部２６と、テレビジョン装置１０に操作コマンド信号を送信するＩｒ（赤外線）通信部２７と、無線通信部２８と、ＬＣＤ（Liquid Crystal Display）などの表示部２９とを備えて構成される。操作入力部２６たとえばタッチパネルセンサ、機械的なボタンなどで構成され、テレビジョン装置１０の電源オン／オフ、チャンネル、音量などの選択切り替え操作が可能とされている。
【００１４】
図３は、操作端末装置２０のソフトウェアの構成を示すブロック図である。
【００１５】
操作端末装置２０のソフトウェアとしては、操作端末装置２０の基本的な動作を制御する基本ソフトウェア３１と、この基本ソフトウェア３１上で実行される各種の応用ソフトウェア３２、３３、３４とで構成される。基本ソフトウェア３１は、操作入力部２６、Ｉｒ（赤外線）通信部２７、無線通信部２８、表示部２９の制御を行うためのプログラムとデータを含む。
【００１６】
基本ソフトウェア３１は、操作入力部２６の操作入力の内容を解釈してＣＰＵ２１へ通知する。たとえば、この操作入力が、テレビジョン装置１０のチャンネルの選択であった場合、ＣＰＵ２１は、Ｉｒ（赤外線）通信部２７を制御して、その操作入力に対応するテレビジョン操作用のコマンド信号を送信させる。
【００１７】
また、応用ソフトウェアとしては、インターネット５０に接続してウェブページを表示部２９に表示するためのウェブブラウザ３２を有している。また、このウェブブラウザ３２と連携して動作する応用プログラムとして、電子番組表を配信可能なインターネット５０上のサイトに定期的に（たとえば毎日一回、毎週一回）アクセスして最新の電子番組表を取得する電子番組表取得プログラム３３と、選択チャンネル、現在時刻および電子番組表などの情報を基に、放送局や放送番組に関する情報のウェブページを公開しているサイトに自動的にアクセスしてウェブページをダウンロードする放送関連ページ取得プログラム３４とを有している。
【００１８】
上記の基本ソフトウェア３１および応用ソフトウェア３２、３３、３４は、たとえば制御部２５のＲＯＭ２２あるいはＥＥＰＲＯＭ２４に格納され、起動時にメインメモリ２３に呼び出されて実行される。
【００１９】
図４は、ＲＯＭ２２あるいはＥＥＰＲＯＭ２４に格納されるデータの構成を示す図である。同図に示すように、ＲＯＭ２２あるいはＥＥＰＲＯＭ２４には、テレビジョン装置１０のチャンネルとこれに対応した放送局のホームページのＵＲＬ（Uniform Resource Locator）との対応テーブル３５と、放送関連ページ取得プログラム３４に基づいてインターネット５０より定期的にダウンロードされた電子番組表３６が格納される。電子番組表３６はたとえばＨＴＭＬ（Hyper Text Markup Language）形式の文書で作成されたものであり、この電子番組表３６には、各チャンネルごとに、放送番組のタイトル、コメント、放送開始／終了の時刻、放送番組に関連する情報を公開するウェブページのＵＲＬなどが記述されている。
【００２０】
次に、この実施形態の操作端末装置２０の動作を説明する。
【００２１】
図５は、この実施形態の操作端末装置２０において、テレビジョン装置のチャンネル選択の遠隔操作に伴って、そのチャンネルに対応する放送番組に関連するウェブページを自動的にダウンロードして表示させる動作を示すフローチャートである。この動作は、主にウェブブラウザ３２と放送関連ページ取得プログラム３４との連携により提供される。
【００２２】
図６は、テレビジョン装置１０の遠隔操作のために操作端末装置２０の表示部２９に表示される操作画面の例を示している。同図に示すように、操作端末装置２０は、基本ソフトウェア３１の動作環境の下、表示部２９に複数のチャンネル選択ボタン４１を表示する。表示部２９の画面にはタッチパネルセンサが設けられており、ユーザによって任意のチャンネル選択ボタン４１が指やペンなどで触れることによって、そのチャンネル選択ボタン４１が指定されたことが制御部２５のＣＰＵ２１にて認識される（ステップ５０１）。
【００２３】
ＣＰＵ２１は、選択されたチャンネルを判断すると、基本ソフトウェア３１に基づいてＩｒ（赤外線）通信部２７を制御し、選択チャンネルに対応するテレビジョン操作用のコマンド信号を送信させる。
【００２４】
続いて、ＣＰＵ２１は放送関連ページ取得プログラム３４を起動する。ＣＰＵ２１は、放送関連ページ取得プログラム３４に従って、まず、ＲＯＭ２２またはＥＥＰＲＯＭ２４に格納されている対応テーブル３５から選択チャンネルに対応する放送局のホームページのＵＲＬを取得する（ステップ５０２）。
【００２５】
続いて、ＣＰＵ２１はウェブブラウザ３２を起動し（ステップ５０３）、ウェブブラウザ３２に放送局のホームページのＵＲＬをセットしてダウンロード要求を実行させる。これにより、図７に示すように、表示部２９にダウンロードした放送局のホームページが表示される（ステップ５０４）。
【００２６】
続いて、ＣＰＵ２１は、たとえば基本ソフトウェア３１などにて管理されている現在時刻を取得する（ステップ５０５）。この後、ＣＰＵ２１は、ＲＯＭ２２またはＥＥＰＲＯＭ２４内の電子番組表３６と取得した現在時刻から、選択チャンネルの現在放送中の番組または次に放送を予定する番組を検索し、検索した放送番組に関連する情報を公開するウェブページのＵＲＬを電子番組表３６から取得する（ステップ５０６）。そして、ＣＰＵ２１は、ウェブブラウザ３２に当該放送番組のウェブページのＵＲＬをセットしてダウンロード要求を実行させる。これにより図８に示すように、表示部２９にダウンロードした放送番組のウェブページが表示される（ステップ５０７）。
【００２７】
以上説明したように、この実施形態の操作端末装置２０によれば、テレビジョン装置１０のチャンネル選択の遠隔操作に伴って、その選択チャンネルの現在放送中の番組または次に放送を開始する番組に関連する情報を公開するウェブページを表示部２９に表示させることができる。すなわち、番組のウェブページを閲覧するための操作が不要になる。
【００２８】
なお、現在放送中の番組と次に放送を開始する番組のどちらのウェブページを閲覧するかは、予めユーザがその設定を行えるようにすればよい。設定情報はＥＥＰＲＯＭ２４に保持されることで、電源が入れ直された後も利用される。
【００２９】
本発明は、上述の図示例にのみ限定されるものではなく、本発明の要旨を逸脱しない範囲内において種々変更を加え得ることは勿論である。
【００３０】
操作端末装置２０に、テレビ放送信号をＲＦ分配器４０を介して受信するチューナや、受信信号を処理する回路などを付加して、表示部２９に放送番組を表示できるようにしてもよい。
【００３１】
また、上記の実施形態では、一旦選択選択チャンネルに対応する放送局のホームページを閲覧しているが、この放送局のホームページのダウンロードおよび閲覧は省いても構わない。また、放送局のホームページの閲覧した後、ユーザからのページ切り替えの許可を条件に、放送番組のウェブページのダウンロードを行うようにしてもよい。
【図面の簡単な説明】
【００３２】
【図１】本発明の一実施形態にかかる操作端末装置を含むシステム全体の構成を示す図である。
【図２】図１の操作端末装置の電気的な構成を示すブロック図である。
【図３】図１の操作端末装置のソフトウェアの構成を示すブロック図である。
【図４】図１のＲＯＭあるいはＥＥＰＲＯＭに格納されるデータの構成を示す図である。
【図５】図１の操作端末装置においてテレビジョン装置のチャンネル選択の遠隔操作に伴って、そのチャンネルに対応する放送番組に関連するウェブページを自動的にダウンロードして表示させる動作を示すフローチャートである。
【図６】テレビジョン装置の遠隔操作のために操作端末装置の表示部に表示される操作画面の例を示す図である。
【図７】操作端末装置の表示部に放送局のホームページが表示された様子を示す図である。
【図８】操作端末装置の表示部に放送番組のウェブページが表示された様子を示す図である。
【符号の説明】
【００３３】
１０…テレビジョン装置、２０…操作端末装置、２１…ＣＰＵ、２２…ＲＯＭ、２３…メインメモリ、２４…ＥＥＰＲＯＭ、２５…制御部、２６…操作入力部、２７…Ｉｒ通信部、２８…無線通信部、２９…表示部、３０…ネットワークステーション、３１…基本ソフトウェア、３２…ウェブブラウザ、３３…電子番組表取得プログラム、３４…放送関連ページ取得プログラム、３５…対応テーブル、３６…電子番組表、４０…ＲＦ分配器、４１…チャンネル選択ボタン、５０…インターネット。
【図１】
2005347893.tif 000003
【図２】
2005347893.tif 000004
【図３】
2005347893.tif 000005
【図４】
2005347893.tif 000006
【図５】
2005347893.tif 000007
【図６】
2005347893.tif 000008
【図７】
2005347893.tif 000009
【図８】
2005347893.tif 000010